(57)【要約】【課題】２チャンネルの疑似サラウンドで、マルチチャンネルのサラウンドと同等なサラウンド効果を得られるようにする。【解決手段】フィルタ回路７及び８により、２チャンネルの疑似サラウンド信号が形成される。メインのオーディオ信号に対して、遅延回路２Ａ、２Ｂが設けられる。一方、サラウンド信号の成分の経路に対しては、遅延回路は設けられていない。したがって、メインのオーディオ信号は、サラウンド信号に対して、遅延される。これにより、リスナーの耳には、メインのオーディオ信号の音が、サラウンド信号の音より送れて到達することになり、ハース効果により、強いサラウンド感が得られる。【選択図】        図１
2004266692.tif 000002
【特許請求の範囲】
【請求項１】
メインのオーディオ信号を入力する入力手段と、
上記メインのオーディオ信号を遅延する遅延手段と、
上記メインのオーディオ信号からサラウンド信号を生成するサラウンド信号生成手段と、
上記遅延されたメインのオーディオ信号と、上記サラウンド信号とをミックスするミキシング手段と、
上記遅延されたメインのオーディオ信号と上記サラウンド信号とをミックスして出力する出力手段とを備え、
上記サラウンド信号を上記メインのオーディオ信号に対して先行して出力させるようにしたオーディオ信号処理装置。
【請求項２】
更に、上記遅延されたメインのオーディオ信号と上記サラウンド信号とをミックスした信号と、上記遅延されたメインのオーディオ信号とを選択する選択手段を設けるようにした請求項１に記載のオーディオ信号処理装置。
【請求項３】
上記遅延手段は、上記サラウンド信号が上記メインのオーディオ信号に対してハース効果を生じさせるのに十分な時間だけ先行するように、上記メインのオーディオ信号を遅延させるようにした請求項１に記載のオーディオ信号処理装置。
【請求項４】
上記サラウンド信号生成手段は、頭部伝達関数を使って疑似サラウンド信号を生成するものである請求項１に記載のオーディオ信号処理装置。
【請求項５】
メインのオーディオ信号を入力し、
上記メインのオーディオ信号を遅延させると共に、
上記メインのオーディオ信号からサラウンド信号を生成し、
上記遅延されたメインのオーディオ信号と、上記サラウンド信号とをミックスし、
上記遅延されたメインのオーディオ信号と上記サラウンド信号とをミックスした信号を出力することにより、
上記サラウンド信号を上記メインのオーディオ信号に対して先行して出力させるようにしたオーディオ信号処理方法。
【発明の詳細な説明】
【０００１】
【発明の属する技術分野】
この発明は、サラウンド再生を行うためのオーディオ信号処理装置及び方法に関するもので、特に、２チャンネルの疑似サラウンドに用いて好適なものに係わる。
【０００２】
【従来の技術】
近年、プラズマディスプレイや液晶ディスプレイ等の普及が本格化しており、各家庭に大画面のテレビジョン受像機が置かれるようになってきている。また、ディジタル衛星放送では、映画チャンネル、ドラマチャンネル、音楽チャンネル等の専用のチャンネルが設けられており、各チャンネルで、様々なコンテンツの番組が放送されている。また、ＤＶＤ（Ｄｉｇｉｔａｌ  Ｖｅｒｓａｔｉｌｅ  Ｄｉｓｃ）プレーヤの普及により、映画やドラマ、音楽番組等のコンテンツがＤＶＤ化されて販売されている。
【０００３】
このように、多彩なコンテンツが容易に入手できるようになったことや、大画面のプラズマディスプレイや液晶ディスプレイの登場により、家庭でＡＶシステムを構築することが盛んに行われるようになってきている。このようなＡＶシステムでは、大画面のディスプレイと共に、サラウンド再生を行い、迫力のあるオーディオ再生を行うことが不可欠である。
【０００４】
サラウンドの方式については、数々のものが提案されている。図２は、従来のサラウンド回路の一例を示すものである。このサラウンド回路は、マルチチャンネル（ここでは４チャンネル）のサラウンド方式のもので、２チャンネルのオーディオ信号から４チャンネルのサラウンドのオーディオ信号を生成し、４つのスピーカを使って、サラウンド再生を行うものである。
【０００５】
図２において、入力端子１０１Ａ及び１０１Ｂに、左チャンネル及び右チャンネルのオーディオ信号が供給される。入力端子１０１Ａ及び１０１Ｂからのオーディオ信号は、左右のチャンネルの出力端子１０２Ａ及び１０２Ｂから出力される。また、入力端子１０１Ａ及び１０１Ｂからのオーディオ信号は、（Ｌ＋Ｒ）加算回路１０３に供給されると共に、（Ｌ−Ｒ）減算回路１０４に供給される。
【０００６】
（Ｌ＋Ｒ）加算回路１０３で、左チャンネルのオーディオ信号と、右チャンネルのオーディオ信号とが加算される。これにより、左右の中間に定位するオーディオ信号、すなわちセンター信号が形成される。このセンター信号がセンターチャンネルの出力端子１０５から出力される。
【０００７】
（Ｌ−Ｒ）減算回路１０４で、左チャンネルのオーディオ信号と右チャンネルのオーディオ信号とが減算される。（Ｌ−Ｒ）減算回路１０４で、左チャンネルのオーディオ信号と右チャンネルのオーディオ信号とを減算することにより、周囲の環境音や音場情報を含んだ信号ＳＳＲが得られる。
【０００８】
（Ｌ−Ｒ）減算回路１０４の出力は、遅延回路１０６を介して、フィルタ回路１０７に供給される。フィルタ回路１０７は、不要な高域周波数を除去する為のフィルタである。フィルタ回路１０７の出力がリアーの出力端子１０８から出力される。
【０００９】
出力端子１０２Ａ及び１０２Ｂの出力が左右の前方のスピーカ（図示せず）に供給される。出力端子１０５の出力がセンターチャンネルのスピーカ（図示せず）に供給される。出力端子１０８の出力がリアーのスピーカ（図示せず）に供給される。
【００１０】
このように、図２に示すマルチチャンネルのサラウンド回路では、２チャンネルのオーディオ信号から、左右のオーディオ信号が加算され、センターチャンネルのオーディオ信号が生成される。また、左右のオーディオ信号が減算され、フィルタ回路１０７を通過後リアーのサラウンド信号が生成される。
【００１１】
ここで、遅延回路１０６による遅延のため、リアーからのサラウンド信号は、左右のオーディオ信号に比べて、所定時間だけ遅延されて出力される。これは、ハース効果（先行音効果）により、左右のオーディオ信号が強調されて聞こえるようにするためである。ハース効果は、複数の音源から音が同時に出ている場合に、リスナーの耳に早く到達する音源の存在を強く感じるというものである。
【００１２】
また、通常、リアーのスピーカはリスナーの近傍に置かれ、リアーのスピーカからの音が先にリスナーに届く。遅延回路１０６は、リアーのスピーカからの音を遅らせて、到達時間を調整する役目もある。
【００１３】
このように、図２に示すサラウンドシステムでは、２チャンネルのオーディオ信号からマルチチャンネルのサラウンド信号が生成され、マルチチャンネルのサラウンド再生が行われる。しかしながら、このようなマルチチャンネルのサラウンドシステムでは、複数のスピーカが必要になる。
【００１４】
そこで、例えば非特許文献１に記載されているように、頭部伝達関数（ＨＲＴＦ：Ｈｅａｄ  Ｒｅｌａｔｅｄ  Ｔｒａｎｓｆｅｒ  Ｆｕｕｎｃｔｉｏｎ）による補正伝達関数フィルタを利用して、２つのスピーカのみで、サラウンド再生を行えるようにしたものが提案されている。
【００１５】
つまり、例えば、低域から高域まで特性が平坦な音源を用意し、その音源の特性をリスナーの正面（０度）、真横（９０度）、真後ろ（１８０度）の位置に夫々配置したときの耳翼の内側の耳道入り口での周波数特性を測定するとする。
【００１６】
特性が平坦な音源をリスナーの正面に配置すると、正面より発せられる音は、まず鼻にあたり左右に分かれて頬骨を沿って進み、耳翼に反射されて耳道に導かれる。
【００１７】
リスナーの真横（９０度）の位置に音源を移動させると、そこより発せられる音は鼻や頬骨から余り影響を受けないで、耳翼の影響を最も受けて耳道に導かれる。
【００１８】
リスナーの後ろ（１８０度）に音源を移動させると、そこから発せられる音はまず後頭部にあたり、左右に分かれて逆方向についている耳翼を越えるようにして耳道に導かれる。
【００１９】
図３Ａ、図３Ｂ、及び図３Ｃは、リスナーの正面に音源を配置したときと、リスナーの真横（９０度）に音源を配置したときと、リスナーの後ろ（１８０度）に音源を配置したときの各周波数特性を示すものである。図３Ａ〜図３Ｃに示すように、人間の頭部の構造により、同じ音でも、聞こえてくる方向により、耳翼の内側の耳道入り口では、その周波数特性が大きく変化していること分かる。
【００２０】
このようにして音の聞こえる角度に対してその音の周波数特性がどのように変化しているかのデータを採取すると、それらは関数として表すことができるようになる。この関数は、頭部伝達関数（ＨＢＴＦ：Ｈｅａｄ  Ｒｅｌａｔｅｄ  Ｔｒａｎｓｆｅｒ  Ｆｕｎｃｔｉｏｎ）と呼ばれている。
【００２１】
このように、角度に対する周波数特性の変化を関数として捉えることができると、それを利用して、目的とする角度の位置に仮想音源を作り出すことができる。
【００２２】
図４は、頭部伝達関数を使って、２つのスピーカのみでサラウンド再生を行えるようにした従来のサラウンドシステムの一例である。図４において、入力端子１５１Ａ及び１５１Ｂに、左チャンネルのオーディオ信号ＳＬ及び右チャンネルのオーディオ信号ＳＲが供給される。
【００２３】
入力端子１５１Ａからの左チャンネルのオーディオ信号ＳＬは、左チャンネルのミックス回路１５３Ａに供給されると共に、スイッチ回路１５４Ａのａ側入力端子に供給される。
【００２４】
入力端子１５１Ｂからの右チャンネルのオーディオ信号ＳＲは、右チャンネルのミックス回路１５３Ｂに供給されると共に、スイッチ回路１５４Ｂのａ側入力端子に供給される。
【００２５】
また、入力端子１５１Ａからの左チャンネルと、入力端子１５１Ｂからの右チャンネルのオーディオ信号は、（Ｌ−Ｒ）減算回路１５５に供給されると共に、（Ｌ＋Ｒ）加算回路１５６に供給される。（Ｌ−Ｒ）減算回路１５５で、左チャンネルのオーディオ信号ＳＬと右チャンネルのオーディオ信号ＳＲとが減算される。（Ｌ−Ｒ）減算回路１５５で、左チャンネルのオーディオ信号ＳＬと右チャンネルのオーディオ信号ＳＲとを減算することにより、周囲の環境音や音場情報を含んだ信号ＳＳＲが得られる。
【００２６】
（Ｌ−Ｒ）減算回路１５５の出力がフィルタ回路１５７及びフィルタ回路１５８に供給される。フィルタ回路１５７は、サラウンド信号が左右から聞こえ、音場に広がりを与えるようにするための周波数特性を有するフィルタである。フィルタ回路１５７から出力される左右に広がりを与えるためのサラウンド信号ＳＳＲ１は、左チャンネルミックス回路１５３Ａに供給されると共に、反転アンプ１５９を介して位相反転されて、右チャンネルミックス回路１５３Ｂに供給される。
【００２７】
フィルタ回路１５８は、サラウンド信号が後ろから聞こえるようにするための周波数特性を有するフィルタである。フィルタ回路１５８から出力される後方からのサラウンド信号ＳＳＲ２は、左チャンネルミックス回路１５３Ａに供給されると共に、反転アンプ１６０を介して位相反転されて、右チャンネルミックス回路１５３Ｂに供給される。
【００２８】
（Ｌ＋Ｒ）加算回路１５６で、左チャンネルのオーディオ信号ＳＬと、右チャンネルのオーディオ信号ＳＲとが加算されることにより、左右の中間に定位するオーディオ信号、すなわちセンター信号ＳＣが形成される。このセンター信号ＳＣが左チャンネルミックス回路１５３Ａに供給されると共に、右チャンネルミックス回路１５３Ｂに供給される。
【００２９】
左チャンネルミックス回路１５３Ａには、左チャンネルのオーディオ信号ＳＬと、フィルタ回路１５７からの左右に広がりを与えるためのサラウンド信号ＳＳＲ１と、フィルタ回路１５８からの後方からのサラウンド信号ＳＳＲ２と、（Ｌ＋Ｒ）加算回路１５６からのセンター信号ＳＣとが供給される。左チャンネルミックス回路１５３Ａで、左チャンネルのオーディオ信号ＳＬと、左右に広がりを与えるためのサラウンド信号ＳＳＲ１と、後方からのサラウンド信号ＳＳＲ２と、センター信号ＳＣとが、レベル調節され、合成される。この左チャンネルミックス回路１５３Ａの出力がスイッチ回路１５４Ａのｂ側入力端子に供給される。
【００３０】
右チャンネルミックス回路１５３Ｂには、右チャンネルのオーディオ信号ＳＲと、フィルタ回路１５７からの左右に広がりを与えるためのサラウンド信号ＳＳＲ１と、フィルタ回路１５８からの後方からのサラウンド信号ＳＳＲ２と、（Ｌ＋Ｒ）加算回路１５６からのセンター信号ＳＣとが供給される。右チャンネルミックス回路１５３Ｂで、右チャンネルのオーディオ信号ＳＲと、反転アンプ１５９を介された左右に広がりを与えるためのサラウンド信号ＳＳＲ１と、反転アンプ１６０を介された後方からのサラウンド信号ＳＳＲ２と、センター信号ＳＣとが、レベル調節され、合成される。この右チャンネルミックス回路１５３Ｂの出力がスイッチ回路１５４Ｂのｂ側入力端子に供給される。
【００３１】
スイッチ回路１５４Ａ及びスイッチ回路１５４Ｂの出力は、出力端子１６１Ａ及び出力端子１６１Ｂから出力され、図示せずも、前方の左右のスピーカに供給される。
【００３２】
スイッチ回路１５４Ａ及びスイッチ回路１５４Ｂは、サラウンド設定の切り換えを行うものである。サラウンドオフの場合には、スイッチ回路１５４Ａ及びスイッチ回路１５４Ｂは、それぞれ、端子ａ側に設定される。スイッチ回路１５４Ａ及びスイッチ回路１５４Ｂがそれぞれ端子ａ側に設定されているときには、入力端子１５１Ａ及び入力端子１５１Ｂからの左チャンネルのオーディオ信号及び右チャンネルのオーディオ信号は、スイッチ回路１５４Ａ及びスイッチ回路１５４Ｂをそれぞれ介して、出力端子１６１Ａ及び出力端子１６１Ｂから出力される。
【００３３】
サラウンドがオンの場合には、スイッチ回路１５４Ａ及びスイッチ回路１５４Ｂは、それぞれ、端子ｂ側に設定される。スイッチ回路１５４Ａ及びスイッチ回路１５４Ｂは、それぞれ、端子ｂ側に設定されているときには、左チャンネルミックス回路１５３Ａの出力信号及び右チャンネルミックス回路１５３Ｂの出力信号が、スイッチ回路１５４Ａ及びスイッチ回路１５４Ｂをそれぞれ介して、出力端子１６１Ａ及び出力端子１６１Ｂからそのまま出力される。
【００３４】
このとき、左チャンネルの出力端子１６１Ａからは、左チャンネルのオーディオ信号ＳＬと、左右に広がりを与えるためのサラウンド信号ＳＳＲ１と、後方からのサラウンド信号ＳＳＲ２と、センター信号ＳＣとが合成されて出力される。また、右チャンネルの出力端子１６１Ｂからは、右チャンネルのオーディオ信号ＳＲと、左右に広がりを与えるためのサラウンド信号ＳＳＲ１と、後方からのサラウンド信号ＳＳＲ２と、センター信号ＳＣとが合成されて出力される。
【００３５】
【非特許文献１】
［平成１５年１月１４日検索］、インターネット＜ＵＲＬ：ｈｔｔｐ：／／ｗｗｗ．ｓｒｓｌａｂｓ．ｊｐ／ｔｅｃｈ／ｔｒｕｓｕｒｒｏｕｎｄ．ｈｔｍ１＞
【００３６】
【発明が解決しようとする課題】
上述のように、２チャンネルの疑似サラウンドシステムでは、頭部伝達関数による補正伝達関数フィルタを利用して、２つのスピーカのみで、サラウンド再生を行える。これにより、手軽にサラウンド再生を行うことができる。
【００３７】
しかしながら、このような２チャンネルの疑似サラウンドシステムでは、マルチスピーカのサラウンドシステムに比べて、サラウンド効果が十分でない。そこで、２チャンネルの疑似サラウンドシステムで、よりサラウンド効果を高めるようにすることが望まれる。
【００３８】
したがって、この発明の目的は、２チャンネルの疑似サラウンドで、マルチチャンネルのサラウンドと同等なサラウンド効果を得られるようにしたオーディオ信号処理装置及び方法を提供することにある。
【００３９】
【課題を解決するための手段】
この発明は、メインのオーディオ信号を入力する入力手段と、
メインのオーディオ信号を遅延する遅延手段と、
メインのオーディオ信号からサラウンド信号を生成するサラウンド信号生成手段と、
遅延されたメインのオーディオ信号と、サラウンド信号とをミックスするミキシング手段と、
遅延されたメインのオーディオ信号とサラウンド信号とをミックスした信号を出力する出力手段とを備え、
サラウンド信号をメインのオーディオ信号に対して先行して出力させるようにしたオーディオ信号処理装置である。
【００４０】
この発明は、メインのオーディオ信号を入力し、
メインのオーディオ信号を遅延させると共に、
メインのオーディオ信号からサラウンド信号を生成し、
遅延されたメインのオーディオ信号と、サラウンド信号とをミックスし、
遅延されたメインのオーディオ信号とサラウンド信号とをミックスした信号を出力することにより、
サラウンド信号をメインのオーディオ信号に対して先行して出力させるようにしたオーディオ信号処理方法である。
【００４１】
この発明では、メインのオーディオ信号に対して、遅延回路が設けられている。一方、サラウンド信号の成分の経路に対しては、遅延回路は設けられていない。
したがって、メインのオーディオ信号は、サラウンド信号に対して、遅延されるようになる。
【００４２】
メインのオーディオ信号に対して設けられる遅延回路の遅延量は、サラウンド信号の音より遅れて到達することによってハース効果が発生するのに十分な遅延時間を有する。
【００４３】
２チャンネルの疑似サラウンドの場合には、全ての信号は、前方の左右のスピーカのみから出力されるので、各信号は同時にリスナーの耳に到達する。メインのオーディオ信号は、サラウンド信号に対して遅延されているため、リスナーの耳には、メインのオーディオ信号の音が、サラウンド信号の音より送れて到達する。よって、ハース効果により、強いサラウンド感が得られることになる。
【００４４】
【発明の実施の形態】
以下、この発明の実施の形態について図面を参照して説明する。図１はこの発明の実施の形態を示すものである。
【００４５】
図１において、入力端子１Ａ及び１Ｂに、左チャンネルのオーディオ信号ＳＬ及び右チャンネルのオーディオ信号ＳＲが供給される。
【００４６】
入力端子１Ａからの左チャンネルのオーディオ信号ＳＬは、遅延回路２Ａを介して遅延され、左チャンネルのミックス回路３Ａに供給されると共に、スイッチ回路４Ａのａ側入力端子に供給される。
【００４７】
入力端子１Ｂからの右チャンネルのオーディオ信号ＳＲは、遅延回路２Ｂを介して遅延され、右チャンネルのミックス回路３Ｂに供給されると共に、スイッチ回路４Ｂのａ側入力端子に供給される。
【００４８】
また、入力端子１Ａからの左チャンネルと、入力端子１Ｂからの右チャンネルのオーディオ信号は、（Ｌ−Ｒ）減算回路５に供給されると共に、（Ｌ＋Ｒ）加算回路６に供給される。（Ｌ−Ｒ）減算回路５で、左チャンネルのオーディオ信号ＳＬと右チャンネルのオーディオ信号ＳＲとが減算される。（Ｌ−Ｒ）減算回路５で、左チャンネルのオーディオ信号ＳＬと右チャンネルのオーディオ信号ＳＲとを減算することにより、周囲の環境音や音場情報を含んだ信号ＳＳＲが得られる。
【００４９】
（Ｌ−Ｒ）減算回路５の出力がフィルタ回路７及びフィルタ回路８に供給される。フィルタ回路７は、サラウンド信号が左右から聞こえ、音場に広がりを与えるようにするための周波数特性を有するフィルタである。フィルタ回路７から出力される左右に広がりを与えるためのサラウンド信号ＳＳＲ１は、左チャンネルミックス回路３Ａに供給されると共に、反転アンプ９を介して位相反転されて、右チャンネルミックス回路３Ｂに供給される。
【００５０】
フィルタ回路８は、サラウンド信号が後ろから聞こえるようにするための周波数特性を有するフィルタである。フィルタ回路８から出力される後方からのサラウンド信号ＳＳＲ２は、左チャンネルミックス回路３Ａに供給されると共に、反転アンプ１０を介して位相反転されて、右チャンネルミックス回路３Ｂに供給される。フィルタ回路７及びフィルタ回路８の特性は、頭部伝達関するを用いて定められる。頭部伝達関数は、音の聞こえる角度に対してその音の周波数特性がどのように変化するかのデータを採取し、それを関数化して表したものである（図３参照）。
【００５１】
（Ｌ＋Ｒ）加算回路６で、左チャンネルのオーディオ信号ＳＬと、右チャンネルのオーディオ信号ＳＲとが加算されることにより、左右の中間に定位するオーディオ信号、すなわちセンター信号ＳＣが形成される。このセンター信号ＳＣが左チャンネルミックス回路３Ａに供給されると共に、右チャンネルミックス回路３Ｂに供給される。
【００５２】
左チャンネルミックス回路３Ａには、遅延回路２Ａにより遅延された左チャンネルのオーディオ信号ＳＬと、フィルタ回路７からの左右に広がりを与えるためのサラウンド信号ＳＳＲ１と、フィルタ回路８からの後方からのサラウンド信号ＳＳＲ２と、（Ｌ＋Ｒ）加算回路６からのセンター信号ＳＣとが供給される。
【００５３】
左チャンネルミックス回路３Ａで、遅延された左チャンネルのオーディオ信号ＳＬと、左右に広がりを与えるためのサラウンド信号ＳＳＲ１と、後方からのサラウンド信号ＳＳＲ２と、遅延されたセンター信号ＳＣとが、レベル調節され、合成される。この左チャンネルミックス回路３Ａの出力がスイッチ回路４Ａのｂ側入力端子に供給される。
【００５４】
右チャンネルミックス回路３Ｂには、遅延回路２Ｂにより遅延された右チャンネルのオーディオ信号ＳＲと、フィルタ回路７からの左右に広がりを与えるためのサラウンド信号ＳＳＲ１と、フィルタ回路８からの後方からのサラウンド信号ＳＳＲ２と、（Ｌ＋Ｒ）加算回路６からのセンター信号ＳＣとが供給される。
【００５５】
右チャンネルミックス回路３Ｂで、遅延された右チャンネルのオーディオ信号ＳＲと、反転アンプ９を介された左右に広がりを与えるためのサラウンド信号ＳＳＲ１と、反転アンプ１０を介された後方からのサラウンド信号ＳＳＲ２と、遅延されたセンター信号ＳＣとが、レベル調節され、合成される。この右チャンネルミックス回路３Ｂの出力がスイッチ回路４Ｂのｂ側入力端子に供給される。
【００５６】
スイッチ回路４Ａ及びスイッチ回路４Ｂの出力は、出力端子１１Ａ及び出力端子１１Ｂから出力され、図示せずも、前方の左右のスピーカに供給される。
【００５７】
スイッチ回路４Ａ及びスイッチ回路４Ｂは、サラウンド設定の切り換えを行うものである。サラウンドオフの場合には、スイッチ回路４Ａ及びスイッチ回路４Ｂは、それぞれ、端子ａ側に設定される。スイッチ回路４Ａ及びスイッチ回路４Ｂがそれぞれ端子ａ側に設定されているときには、入力端子１Ａ及び入力端子１Ｂからの左チャンネルのオーディオ信号及び右チャンネルのオーディオ信号は、遅延回路２Ａ及び遅延回路２Ｂ、スイッチ回路４Ａ及びスイッチ回路４Ｂをそれぞれ介して、出力端子１１Ａ及び出力端子１１Ｂから出力される。
【００５８】
サラウンドがオンの場合には、スイッチ回路４Ａ及びスイッチ回路４Ｂは、それぞれ、端子ｂ側に設定される。スイッチ回路４Ａ及びスイッチ回路４Ｂは、それぞれ、端子ｂ側に設定されているときには、左チャンネルミックス回路３Ａの出力信号及び右チャンネルミックス回路３Ｂの出力信号が、スイッチ回路４Ａ及びスイッチ回路４Ｂをそれぞれ介して、出力端子１１Ａ及び出力端子１１Ｂから出力される。
【００５９】
このとき、左チャンネルの出力端子１１Ａからは、遅延された左チャンネルのオーディオ信号ＳＬと、左右に広がりを与えるためのサラウンド信号ＳＳＲ１と、後方からのサラウンド信号ＳＳＲ２と、遅延されたセンター信号ＳＣとが合成されて出力される。また、右チャンネルの出力端子１１Ｂからは、遅延された右チャンネルのオーディオ信号ＳＲと、左右に広がりを与えるためのサラウンド信号ＳＳＲ１と、後方からのサラウンド信号ＳＳＲ２と、遅延されたセンター信号ＳＣとが合成されて出力される。
【００６０】
このように、この発明が適用された疑似サラウンド回路では、左チャンネル及び右チャンネルのオーディオ信号ＳＬ及びＳＲの経路に対して、遅延回路２Ａ及び２Ｂが設けられている。一方、（Ｌ−Ｒ）減算回路５から出力されるサラウンド信号ＳＳＲの成分の経路に対しては、遅延回路は設けられていない。したがって、メインのオーディオ信号（左右のオーディオ信号ＳＬ、ＳＲ、センターチャンネルのオーディオ信号ＳＣ）は、サラウンド信号（左右に広がりを与えるためのサラウンド信号ＳＳＲ１、後方からのサラウンド信号ＳＳＲ２）に対して、遅延回路２Ａ、２Ｂの遅延量だけ遅延されるようになる。
【００６１】
２チャンネルの疑似サラウンドの場合には、全ての信号は、前方の左右のスピーカのみから出力されるので、各信号は同時にリスナーの耳に到達する。上述のように、この発明が適用された疑似サラウンド回路では、メインのオーディオ信号は、サラウンド信号に対して遅延されている。このため、リスナーの耳には、メインのオーディオ信号の音が、サラウンド信号の音より遅れて到達する。
【００６２】
ハース効果により、リスナーは、先に到達するサラウンド信号の音をより強く感じることとなる。よって、サラウンドの音がメインのオーディオ信号に比べて強く感じることになり、強いサラウンド感が得られることになる。
【００６３】
遅延回路２Ａ及び２Ｂの遅延時間は、メインのオーディオ信号の音が、サラウンド信号の音より遅れて到達することによって、ハース効果が発生するのに十分な時間とされる。具体的には、遅延回路２Ａ及び２Ｂの遅延時間は、１０ｍ秒から２５ｍ秒が好適である。
【００６４】
なお、メインのオーディオ信号が遅延回路２Ａ及び２Ｂを介されることにより、音の明瞭感が悪化する場合がある。この場合には、メインのオーディオ信号に所定の周波数特性を持たせることにより、音質の悪化を防ぐことができる。具体的には、メインのオーディオ信号に対して、低域や高域をブースすることにより、音質の悪化を防ぐことができる。
【００６５】
また、上述の例では、頭部伝達関数による２チャンネルの疑似サラウンドの構成とされているが、サラウンドの方式としては、種々のものが提案されている。この発明は、異なるサラウンド方式の場合にも、同様に適用することが可能である。
【００６６】
また、この発明は、４チャンネルや５．１チャンネルの入力にも適用できる。
【００６７】
また、近年、放送のディジタル化や画像処理のディジタル化に伴い、画像のディジタル処理による遅れが発生し、画像が音声より遅れる傾向にある。この発明では、左右のオーディオ信号ＳＬ、ＳＲ、センターチャンネルのオーディオ信号ＳＣ等のメインのオーディオ信号に対して遅延回路２Ａ及び２Ｂが設けられるため、音声の再生が遅延される。したがって、この遅延回路２Ａ及び２Ｂは、画像と音声との同期をとるための働きもする。
【００６８】
スイッチ回路４Ａ及び４Ｂをａ側に設定し、サラウンドオフに設定しているときにも、メインのオーディオ信号に対して、遅延回路２Ａ及び２Ｂによる遅延が入るので、サラウンドオフの場合のみならず、サラウンドオンの場合にも、画像と音声との同期をとるための働きは保たれる。但し、サラウンドオフで遅延が不要な場合は、遅延２Ａ、２Ｂはオフ（スルー）設定とする。
【００６９】
この発明は、上述した実施形態に限定されるものではなく、この発明の要旨を逸脱しない範囲内で様々な変形や応用が可能である。
【００７０】
【発明の効果】
この発明によれば、メインのオーディオ信号に対して、遅延回路が設けられている。一方、サラウンド信号の成分の経路に対しては、遅延回路は設けられていない。したがって、メインのオーディオ信号は、サラウンド信号に対して、遅延されるようになる。
【００７１】
２チャンネルの疑似サラウンドの場合には、全ての信号は、前方の左右のスピーカのみから出力されるので、各信号は同時にリスナーの耳に到達する。メインのオーディオ信号は、サラウンド信号に対して遅延されているため、リスナーの耳には、メインのオーディオ信号の音が、サラウンド信号の音より遅れて到達する。これにより、ハース効果が発生し、２チャンネルの疑似サラウンドで、マルチチャンネルのサラウンドと同等のサラウンド感を得ることができるようになる。
【図面の簡単な説明】
【図１】この発明が適用されたオーディオ信号処理装置の一例のブロック図である。
【図２】従来のマルチチャンネルサラウンドシステムを使ったオーディオ信号処理装置の一例のブロック図である。
【図３】頭部伝達関数により疑似サラウンドの説明に用いるグラフである。
【図４】従来の２チャンネルの疑似サラウンドシステムを使ったオーディオ信号処理装置のブロック図である。
【符号の説明】
１Ａ，１Ｂ・・・入力端子、２Ａ，２Ｂ・・・遅延回路、３Ａ，３Ｂ・・・ミックス回路、４Ａ，４Ｂ・・・スイッチ回路、５・・・減算回路、６・・・加算回路、７・・・音場に広がりを与えるフィルタ回路、８・・・後ろから聞こえるようにするフィルタ回路、１１Ａ，１１Ｂ・・・出力端子
【図１】
2004266692.tif 000003
【図２】
2004266692.tif 000004
【図３】
2004266692.tif 000005
【図４】
2004266692.tif 000006